(57)【要約】【課題】平面鏡、凹面鏡に変化させることができる性能の優れた鏡を提供する。【解決手段】  浅皿状のベース１と、ここに回動自在に収まり螺合によってベースに対して出没するミラーホルダー２とからなり、該記ミラーホルダー２にはそれぞれ曲率変化が可能な鏡面シート１２と背面シート１３とを間隔をおいてかつ両シート間の空間を気密状態に保持し、さらに前記背面シート１３はその中心位置に一端が固定され他の一端がベース部に回動可能に固定されたシートテンション部材１４によって保持し、前記ミラーホルダー２の出没による背面シート１３の変形によって前記気密状態の空間の圧力を変え鏡面の曲率を変化させるようにしたことを特徴とする。【選択図】  図１
2010279629.tif 000002
【特許請求の範囲】
【請求項１】
浅皿状のベースと、ここに回動自在に収まり螺合によってベースに対して出没するミラーホルダーとからなり、該記ミラーホルダーにはそれぞれ曲率変化が可能な鏡面シートと背面シートとを間隔をおいてかつ両シート間の空間を気密状態に保持し、さらに前記背面シートはその中心位置に一端が固定され他の一端がベース部に回動可能に固定されたシートテンション部材によって保持し、前記ミラーホルダーの出没による背面シートの変形によって前記気密状態の空間の圧力を変え鏡面の曲率を変化させるようにしたことを特徴とする鏡。
【請求項２】
ミラーホルダーの回動による弁の開閉によって、前記の気密状態の空間が大気圧と適宜同調することができる手段を組込んだことを特徴とする請求項１記載の鏡。
【発明の詳細な説明】
【技術分野】
【０００１】
この発明は、化粧用あるいは髭剃り用等に使用する鏡に関するものである。
【背景技術】
【０００２】
従来より、化粧あるいは髭剃り等を行なう場合、鏡が不可欠で種々の鏡が使用されている。これらの用途に用いる鏡としては、平面鏡が一般的であるが、凹面鏡としても使用することが必要な場合がある。
このために、鏡の両面を用い一方を平面鏡、他方を凹面鏡とし、目的に応じて反転させて使用する洗面用の鏡が、古くからホテル等で用いられている。
【先行技術文献】
【特許文献】
【０００３】
【特許文献１】特開平１０−１６５２７３号公報
【０００４】
【非特許文献１】Arthur L. Palisoc(L’Garde,Inc.)、”Large Telescope Using a Holographically-Corrected Membrane Mirror”、[Online]、June 6-7,2000、[平成２１年６月３日検索]、インターネット、<URL: 1244415965812_0.pdf＞
【発明の概要】
【発明が解決しようとする課題】
【０００５】
前記の先行技術文献のうち、特許文献１に示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものである。
このように板状の鏡面材を用いてこの曲率を変化させる場合、特許文献１のように鏡面板に直接力を加えると、力を加えた箇所とそうでない箇所との曲率の変化に微妙な差ができて鏡面が歪むおそれがあり、また機械的に曲率を変えるためある程度曲率の変化を段階的にせざるを得ない場合も生じ、任意の曲率が選びにくい面もある。
【０００６】
一方非特許文献1には、曲率変化が可能な鏡面シートを気体の圧力で変形させて一種の凹面鏡や凸面鏡とし、大型の反射望遠鏡に利用する技術が開示されている。この技術によれば、前記特許文献1に開示された鏡とは異なり、鏡面シートに非接触な状態で変化させることができるため、鏡面が歪んだり曲率変化が段階的になるという惧れはなくなる。
【０００７】
本発明は、非特許文献１の着想と同様に、気体を巧みに利用し、鏡面に非接触の状態で曲面が変化できる機構を採用するものであるが、このような大規模な光学装置に用いるものではなく、身近で手軽に用いることができる鏡について検討した結果、ともに曲率変化が可能な鏡面シートと背面シートを対設して気密状態の空間を形成し、この空間の圧力を変化させて平面鏡又は凹面鏡等として使用できる鏡を提供しようとするものである。
【課題を解決するための手段】
【０００８】
すなわち本発明の要旨とするところは、浅皿状のベースと、ここに回動自在に収まり螺合によってベースに対して出没するミラーホルダーとからなり、該記ミラーホルダーにはそれぞれ曲率変化が可能な鏡面シートと背面シートとを間隔をおいてかつ両シート間の空間を気密状態に保持し、さらに前記背面シートはその中心位置に一端が固定され他の一端がベース部に回動可能に固定されたシートテンション部材によって保持し、前記ミラーホルダーの出没による背面シートの変形によって前記気密状態の空間の圧力を変え鏡面の曲率を変化させるようにしたことを特徴とする鏡にある。また本発明は、ミラーホルダーの回動による弁の開閉によって、前記気密状態の空間が大気圧と適宜同調することができる手段を組込んだことも特徴とするものである。
【発明の効果】
【０００９】
本発明は、前述の如き特徴を有するものであるから、鏡面シートと背面シートとを間隔をおきかつその空間を気密状態に保持し、この空間の圧力を、ミラーホルダーを出没させ鏡面シートとは非接触で操作して鏡面の曲率を変化させることができるようになっており、この結果鏡面シート全面にわたって曲面部の曲率を滑らかに変化させることができるので歪みがない鏡が提供でき、しかもその構造上平面鏡と凹面鏡とを所望の曲面に任意にかつ簡単に操作できる利点があり、なおかつ構造が簡潔であって軽量化を図ることができるものである。
【図面の簡単な説明】
【００１０】
【図１】本発明の一実施例を示す分解斜視図である。
【図２】本発明を平面鏡として使用したときの部分拡大断面図である。
【図３】本発明を凹面鏡として使用したときの部分拡大断面図である。
【図４】本発明の圧力調整機構を説明するための部分拡大断面図である。
【発明を実施するための形態】
【００１１】
以下本発明の実施の形態を図面に基づき説明する。
図面は本発明の一実施例を示すもので、これらの図において１は浅皿上のベース、２は該ベースに回動自在に収まり螺合によってベース１に対して出没するミラーホルダーで、この２つの部材で鏡の本体が形成されている。この本体は、例えば合成樹脂などの材料で成形することができる。
このうちベース１の立上り壁３内側には、螺旋溝４が刻設されているが、この例の螺旋は９０度ピッチで４個の右ねじが設けられている。またベース１底面の中心位置Ｃには、後述する背面シート１３を固定させるために用いる突出部５が設けられている。さらに図中６は、立上り部３内側に設け、後述する圧力調整のために用いる縦溝であり、７は螺旋溝４の上部に設けた踊り場、８はスットパーである。
【００１２】
一方ミラーホルダー２は前述の中心位置Ｃを同芯として回動するもので、周囲の側壁９外側には、前述の螺旋溝４に嵌合する円柱状突起１０が螺旋溝４に対応するよう９０度ピッチで４個突設されている。この円柱状突起１０は、前述した螺旋溝４に嵌合して摺動するようになっている。
そして、このミラーホルダー２を前記ベース１に収めて螺合して回動させるが、ベース1を固定して反時計方向に回すと上方に出るようになっており、逆に時計方向に回すとベース１に没するようになっている。
【００１３】
図２はミラーホルダー２の回転軸を含む面で切断した断面図であるが、このミラーホルダー２の側壁９内側には、フランジ１１が設けられ、ここにはそれぞれ曲率変化が可能な鏡面シート１２と背面シート１３とが両シート間を機密状態に保持して固定されている。
鏡面シート１２と背面シート１３の固定についてさらに説明すると、２つのシート１２、１３とそれぞれフランジ１１との間に、接着剤を介在させるとともに、弛みを防止するため、フランジ１１に設けた上部プレスリング１７により鏡面シート１２を、また下部プレスリング１８により背面シート１３をそれぞれ挟み込み、フランジ１１の円周方向に延びる突条１９とこれに対応する箇所に溝条２０を設けた上部及び下部プレスリング１７、１８によってシート１２、１３を噛み合わせ、弛みが生じないように接着している。
したがって両シート１２、１３は弛みがなく、しかも２つのシート間の空間は気密状態を保持するようになっている。
なお図中２１は、上面に設けた透明カバーであり、鏡面が汚れたり傷が付くのを防止するためのものであるが、この透明カバー２１はアクリル樹脂シート等が用いられこの両面には反射防止膜を設けることが好ましい。
【００１４】
図２のように鏡として組立てたときは、背面シート１３の中心に設けられた孔に、プレート状のシートテンション部材１４の軸１５が嵌り込んで、背面シート１３の一端が固定され、他の一端はベース１底面の突出部５に設けた孔５Ａに嵌合し輪留め１６により固定されるが、このとき軸１５による回動方向は自在で上下方向が動かないように規制されている。なお背面シート１３の軸１５に嵌め込んだ箇所は、接着剤等でシールする。
このときの背面シート１３の一端の固定は、背面シート１３の下側の面（空間とは反対側の面）に接着して行ってもよい。
【００１５】
以上のように構成された鏡を使用する際にミラーホルダー２を反時計方向に回すと、図３のようにミラーホルダー２が上方に出てくるが、シートテンション部材１４はベース１に固定されたままになっているので、背面シート１３が下側に凸の状態となり、空間Ｓは減圧され、大気圧によって鏡面シート１２は綺麗な球面に凹み、鏡面シート１２は凹面鏡として機能することになる。この例では螺旋溝４の上部の踊り場７を設けているので、円柱状突起１０がここに一時的に止まって凹面鏡の状態を保持しうるようになっており、またストッパー８がミラーホルダー２がさらに回動し抜け落ちるのを防止している。このようになっており、ミラーホルダー２の突出量を調節することにより、凹面鏡の拡大率を任意に変えることが可能となる。
【００１６】
なお本発明に使用する曲率変化が可能な鏡面シート１２としては、例えば厚さ      ５〜５０μｍ程度の透明ポリエステルフィルムの内側面に、アルミ蒸着又は銀等による鏡面膜を設けたシートが使用できる。また背面シート１３も曲率変化が可能な同様厚さのポリエステルフィルムその他合成樹脂フィルムが使用できる。さらにベース１及びミラーホルダー２としては、前述した合成樹脂のほか軽合金などの金属による成形品が使用できる。
特に前述の上部及び下部プレスリング１７、１８を金属製にするとシートの固定が強固に行われ鏡面シート１２の平滑性が向上するので好ましい。
【００１７】
図４は、本発明の実施例における圧力調整の機能を説明すもので、図は平面鏡の状態において、ミラーホルダー２の気密状態となった空間Ｓが大気圧と同調している状態を示している。なおこの図も図２と同様な断面で圧力調整機構の部分を拡大したものである。
本発明の鏡は通常状態では平面鏡として使用あるいは保管されることが多いが、このような状態で気温が上がったり、気圧が変化した際に大気圧に同調させて、内部の気体が膨張収縮することを防止ししようとするものである。
【００１８】
すなわち図４において、ミラーホルダー２の側壁４に中心軸方向に延びる段付きの孔を設け、この一番奥の段にバネ２２を埋設し、バネ２２の手前側にＯリング２３を収め、ここに図左方向に付勢されるようになったボール弁２４が位置すると共に、一番手前側にはキャップ２５が嵌っている。そしてこのキャップ２５には、ゴム座２６が内蔵され、ボール弁２４によって図右方向に押されている。
この状態では、キャップ２５がベース１の縦溝６に収まっているので、ボール弁２４は開の状態となっており、空間Ｓは大気圧と同調しているので、気圧の変化や温度の変化により、鏡面が撓んだりすることがなく平面鏡の状態を保つことこととなる。この状態から、ミラーホルダー２を反時計方向に回動させると、キャップ２５は縦溝６を乗り越えて内側に押されるため、立上り壁３の内面でボール弁２４は図左方向に押されて弁を閉じ、空間Ｓは再び気密状態となり、図３のように背面シート１２が下方に凹に膨出すれば、それに応じて鏡面シート１１が凹面に変形して凹面鏡の状態に変化する。
【００１９】
以上図示した実施例においては、平面鏡と凹面鏡とに使用できる鏡について説明したが、本発明ではこの構成を踏襲しかつ背面シー１２を上方凸に膨出するようにすれば、凸面鏡としての機能をもつ鏡とすることも可能である。
またこの例では、ミラーホルダー２の空間を大気圧と同調させることができる発明に基づいて説明したが、本発明では気温や気圧の変化があまり激しくない場所などで使用する場合は、このような機構を省略することが可能である。
さらにこの例において、プレート状のシートテンション部材１４は軸１５によって回動自在に固定しているが、この構成に代えて回動によって捩れることができる紐状物を背面シート１２及びベース１の中心位置Ｃに固定することによっても同様な効果を果たすことができ、本発明ではこれらを含めて回動可能としている。
なお本発明は、鏡として使用するために便利な、例えば鏡のカバーや手鏡として用いる際の把持部あるいは壁面等への部材を取付けたりすることが可能であり、またミラーホルダー２に枠材等を取り付けることによって鏡面の形を角形等として用いることも可能である。
【符号の説明】
【００２０】
Ｓ      空間
Ｃ      中心位置
１      ベース
２      ミラーホルダー
３      立上り壁
４      螺旋溝  
５      突出部
５Ａ    孔
６      縦溝
７      踊り場
８      ストッパー
９      側壁
１０    円柱状突起
１１    フランジ
１２    鏡面シート
１３    背面シート
１４    シートテンション部材
１５    軸
１６    輪留め
１７    上部プレスリング
１８    下部プレスリング
１９    突条
２０    溝条
２１    透明カバー
２２    ネジ
２３    Ｏリング
２４    ボール弁
２５    キャップ
２６    ゴム座
【図１】
2010279629.tif 000003
【図２】
2010279629.tif 000004
【図３】
2010279629.tif 000005
【図４】
2010279629.tif 000006